(57)【要約】【課題】  外部からの静電気によるドライバＩＣの静電気破壊を簡易な手段で確実に防止することが可能であって耐静電気性能を向上させた液晶表示装置を提供する。【解決手段】  ＣＯＧ実装されたドライバＩＣ１７と対向するフロントケース３０の縁部３３両面を、フロントケース３０に設けた開口部３２を介して一体的に連接している絶縁シート３４によって覆う。【選択図】  図１
2006235303.tif 000002
【特許請求の範囲】
【請求項１】
ガラス基板上に複数の画素電極を配設したアレイ基板、及びこのアレイ基板に対向するように共通電極を配設した対向基板、及びこれら基板間に封入された液晶部材とを有する液晶パネルと、前記画素電極を駆動するドライバＩＣと、このドライバＩＣ及び前記液晶パネルを内蔵し前記液晶パネルの表示面側に配設され開口部を有するフロントケースとを備える液晶表示装置において、
前記フロントケース開口部周縁の縁部の前記ドライバＩＣと対向する裏面及びこの裏面と表面側に前記開口部を介して連接する絶縁体を配設したことを特徴とする液晶表示装置。
【請求項２】
前記絶縁体は、前記表面及び裏面に跨って前記フロントケースの開口部を介して一体に連接した絶縁シートによって形成されていることを特徴とする請求項１記載の液晶表示装置。
【請求項３】
前記ドライバICは、前記ガラス基板上にCOG（チップ・オン・ガラス）実装されていることを特徴とする請求項１記載の液晶表示装置。
【発明の詳細な説明】
【技術分野】
【０００１】
本発明は、液晶表示装置に係り、画素電極を駆動するためのドライバＩＣが、筐体外部からの静電気によって破壊されることを防止するように構成した液晶表示装置に関する。
【背景技術】
【０００２】
従来、一般的に使用されているアクティブマトリクス型の液晶表示装置は、図５に示すように構成されている。この液晶表示装置を構成している液晶パネル５１は、シール材５２を介して夫々矩形状のアレイ基板５３と対向基板５４とを貼り合せ、これら両基板５３，５４間に形成された空隙部に液晶部材５５を封入することにより形成されている。このアレイ基板５３は、矩形状のガラス基板５６を有し、このガラス基板５６上には、図示していない多数本の信号線と走査線とが互いに直交して配列されており、更に複数本の補助容量線が走査線と略平行に配列されている。
【０００３】
これら各信号線と走査線との交差部近傍には、スイッチング素子としてのＴＦＴ（図示せず）が夫々形成されており、各ＴＦＴのゲート電極が走査線に、ソース電極が信号線に夫々接続され、各ＴＦＴのドレイン電極はＩＴＯからなる画素電極（図示せず）に接続されており、また各補助容量線とこれに対向する画素電極との間で補助容量が形成されている。
【０００４】
これら信号線と走査線に夫々映像信号及び走査信号を供給する液晶駆動回路は、アレイ基板５３の一方の長辺に沿って配置され、液晶パネル５１に映像信号を供給するソースドライバＩＣ５７と、アレイ基板５３の一方の短辺に沿って配置され、液晶パネル５１に走査信号を供給するゲートドライバＩＣ（図示せず）から構成されている。これらドライバＩＣ５７はＣＯＧ（Ｃｈｉｐ  Ｏｎ  Ｇｌａｓｓ）実装され、このガラス基板５６の内面上には更に保護膜や配向膜（図示せず）等が積層され、外面側には偏光板５８が貼付けられてアレイ基板５３を構成している。
【０００５】
一方、このアレイ基板５３と対向する対向基板５４は、アレイ基板５３を構成しているガラス基板５６よりも小さな寸法に形成された矩形状のガラス基板５９を備え、このガラス基板５９内面上に、いずれも図示していないが、カラー液晶表示装置の場合には、ブラックマトリクス、カラーフィルタを有し、更にＩＴＯからなる対向電極や配向膜が積層形成されており、またガラス基板５９の外面側には偏光板６０が貼付けられて対向基板５４を構成している。
【０００６】
このようにして構成されたアレイ基板５３と対向基板５４とは、シール材５２を介して張り合わされ、空隙部に液晶部材５５が封入されて液晶パネル５１を形成している。
【０００７】
この液晶パネル５１に対向して、液晶パネル５１の下側には光源部６１が配置されている。この光源部６１は冷陰極管からなるランプ６２と、このランプ６２を一端側面に配置した導光板６３と、この導光板６３の同じ一端面に位置して上記ランプ６２の導光板６３対向面を除く外周部分を包囲するように配置されたリフレクタ６４を備えている。このリフレクタ６４によってランプ６２で発光した光のうち、導光板６３方向と異なる方向の光をリフレクタ６４内面にて反射させて導光板６３方向に導出し、これらの光を導光板６３によって液晶パネル５１方向に導出している。この導光板６３の底面外側には反射シート６５が配設され、導光板６３の出射面側には、拡散シート６６やプリズムシート６７等の光学シートが配設されており、これらランプ６２、リフレクタ６４、導光板６３、光学シート及び反射シート６５等から光源部６１を構成している。
【０００８】
この光源部６１は、筐体を構成するバックケース６８内に収納されており、このバックケース６８は、支持部材６９等によって内部に液晶パネル５１を収納し、液晶パネル５１の表示領域を外部に露呈するための開口部７０を有するフロントケース７１によって施蓋され、バックケース６８とフロントケース７１とは凹凸部や鉤部あるいはカシメ等の固定手段（図示せず）によって固定されている。
【０００９】
更に、このフロントケース７１のドライバＩＣ５７と対向する縁部７２の裏面には、静電気破壊からドライバＩＣ５７を保護するための絶縁シート７３が貼着されている。この絶縁シート７３は、フロントケース７１の縁部７２裏面に沿って貼着させることにより、フロントケース７１縁部７２を突き抜けてドライバＩＣ５７に到達する静電気を抑制することにより、ドライバIC５７の静電気に破壊から防御するようになされている。
【００１０】
このような液晶表示装置においては、静電ガン等を用いて静電気に対するドライバＩＣ５７の耐静電気性能を試験している。
【００１１】
例えば、９インチＱＶＧＡ仕様の液晶表示装置の場合では、容量値１５０ｐＦ、抵抗値１５０Ω、印加電圧値として±１５ＫＶの試験条件を設定して面放電試験を実施した。この試験では、図６に示すように、液晶表示装置の表示面とフロントケース７１の○印で示す部分に、夫々印加する電圧の電圧を可変しながら液晶表示装置の前面から液晶パネル５１方向に略垂直にさせることで面放電試験を行なった。その結果を表１に示す。
【００１２】
なお、図６では、液晶表示装置の正面側を図示しており、図中破線のクロスハッチ部分がフロントケース７１縁部７２の裏面側に貼着されている絶縁シート７３を示している。
【表１】
2006235303.tif 000003
【００１３】
この表１によれば、印加電圧を設定条件とした±１５ＫＶから±２２ＫＶまで順次上昇させていっても画像は良好な状態を維持しており、＋２４ＫＶでは画像には影響が見られなかったが、−２４ＫＶにおいて画像不良となりドライバＩＣ５７に静電気破壊が発生したことが判る。しかしながら、設定条件を大きく上回る電圧値なで画像良好な状態を維持しているので、面放電については特段の問題はないものと判定されている。
【００１４】
また、この試験条件を更に厳しく容量値３３０ｐＦ、抵抗値２ｋΩ、印加電圧値±１５ＫＶに設定し、静電ガン等を使用してフロントケース７１の開口部７０端縁から斜め内部方向の隙間部分をターゲットにして電圧を印加させる気中放電試験を実施した（例えば、特許文献１参照）。
【００１５】
この気中放電試験では、表２に示すような結果が得られた。
【表２】
2006235303.tif 000004
【００１６】
この表２によれば、印加電圧が±５ＫＶの場合には画像に対して問題は発生しなかったが、±１０ＫＶに上昇させた場合には画像不良となり、ドライバＩＣ５７の静電気破壊が発生してしまった。
【００１７】
このように気中放電に対しては、印加電圧が±１０ＫＶで耐えられなくなってドライバＩＣ５７が静電気破壊されてしまっているが、これらの原因としては、液晶パネル５１とフロントケース７１の開口部７０での隙間部分から静電気が侵入したり、フロントケース７１の縁部７２を透過して静電気がドライバＩＣ５７まで到達する等の相乗効果でドライバＩＣ５７が静電気破壊に至ったものと推察される。
【特許文献１】特開２００２−３７２５６０号公報（図１）
【発明の開示】
【発明が解決しようとする課題】
【００１８】
上記のように、ドライバＩＣが静電気破壊を受けて液晶表示装置の画像表示不良となることを簡易な手段で確実に防止することにより耐静電気特性をより一層向上させることで、市場でのドライバＩＣの静電気破壊に伴う不良の発生を防止し商品的にも優れた液晶表示装置を提供することにある。
【課題を解決するための手段】
【００１９】
本発明に係る液晶表示装置は、ガラス基板上に複数の画素電極を配設したアレイ基板、及びこのアレイ基板に対向するように共通電極を配設した対向基板、及びこれら基板間に封入された液晶部材とを有する液晶パネルと、画素電極を駆動するドライバＩＣと、このドライバＩＣ及び液晶パネルを内蔵し液晶パネルの表示面側に配設される開口部を有するフロントケースとを備える液晶表示装置において、フロントケース開口部周縁の縁部のドライバＩＣと対向する裏面及びこの裏面と表面側に開口部を介して連接する絶縁体を配設する構成とした。
【発明の効果】
【００２０】
本発明によれば、フロントケース縁部の表裏両面に開口部を介して一体的に跨って絶縁体が位置することになり、フロントケース縁部を透過しようとする静電気の突抜けが緩和され、更にフロントケースの開口部端面から内部に侵入しようとする静電気に対しても絶縁体によって防御することにより、簡易な構成でありながらもドライバＩＣの耐静電気性能を飛躍的に向上させることが可能となり、静電気破壊に対して強固な液晶表示装置を提供することができる。
【発明を実施するための最良の形態】
【００２１】
以下、本発明の実施形態について図面を用いて説明する。
【００２２】
本発明に係る液晶表示装置は、図１に示すように、液晶パネル１１を有している。この液晶パネル１１は、夫々矩形状のアレイ基板１２と対向基板１３とを有し、このアレイ基板１２の表示領域の外側を囲むようにアレイ基板１２上に印刷されたシール材１４を介して張合わされることにより、約５μｍ程度の隙間を置いて対向配置され、この空隙部に液晶部材１５を封入している。このアレイ基板１２は、矩形状のガラス基板１６を有し、このガラス基板１６上には、いずれも図示を省略しているが、多数本の信号線と走査線とが互いに直交して配列されており、更に複数本の補助容量線が走査線と略平行に配列されている。
【００２３】
これら各信号線と走査線との交差部近傍には、スイッチング素子としてのＴＦＴ（図示せず）が夫々形成されており、各ＴＦＴのゲート電極が走査線に、ソース電極が信号線に夫々接続され、各ＴＦＴのドレイン電極はＩＴＯからなる画素電極（図示せず）に接続されており、また各補助容量線とこれに対向する画素電極との間で補助容量が形成されている。
【００２４】
これら信号線と走査線に夫々映像信号及び走査信号を供給する液晶駆動回路は、アレイ基板１２の一方の長辺に沿って配置され液晶パネル１１に映像信号を供給するソースドライバＩＣ１７と、アレイ基板１２の一方の短辺に沿って配置され液晶パネル１１に走査信号を供給するゲートドライバＩＣ（図示せず）から構成されており、これらドライバＩＣ１７はＣＯＧ（Ｃｈｉｐ  Ｏｎ  Ｇｌａｓｓ）実装され、このガラス基板１６の内面上には更に保護膜や配向膜（図示せず）等が積層され、外面側には偏光板１８が貼付けられてアレイ基板１２を構成している。
【００２５】
一方、このアレイ基板１２と対向する対向基板１３は、アレイ基板１２を構成しているガラス基板１６よりも小さな寸法に形成された矩形状のガラス基板１９を備え、このガラス基板１９内面上には、図示を省略しているが、カラー液晶表示装置の場合には、ブラックマトリクス、カラーフィルタを有し、更にＩＴＯからなる対向電極や配向膜が積層形成されており、ガラス基板１９の外面側には偏光板２０が貼付けられて対向基板１３を構成している。
【００２６】
このように構成された液晶パネル１１に対向して、液晶パネル１１の下側には光源部２１が配置されている。この光源部２１は冷陰極管からなるランプ２２と、このランプ２２を一端側面に配置した導光板２３と、この導光板２３の同じ一端面に位置して上記ランプ２２の導光板２３対向面を除く外周部分を包囲するように配置されたリフレクタ２４を備えている。このリフレクタ２４によってランプ２２で発光した光のうち、導光板２３方向と異なる方向の光をリフレクタ２４内面にて反射させて導光板２３方向に導出し、これらの光を導光板２３によって液晶パネル１１方向に導出している。そのためにこの導光板２３は効率良く光を液晶パネル１１側に導出するために、その底面を斜めに順次液晶パネル側に薄くなるように断面楔形状に加工したり、あるいは底面に鋸歯状の反射面を設けたり、プリズム状の反射面を形成したり、あるいはこれらを組合せることにより、光の伝播効率の改善を図っているもので、更に導光板２３の底面外側にはアルミシート等からなる反射シート２５が配設されている。
【００２７】
一方、導光板２３の出射面側には、拡散シート２６やプリズムシート２７等の光学シート２８が配設されており、これらランプ２２、リフレクタ２４、導光板２３、光学シート２８及び反射シート２５等から光源部２１を構成している。
【００２８】
このように構成されている光源部２１は、筐体を構成するバックケース２９内に収納される。また液晶パネル１１は、フロントケース３０内部に舌片や弾性ゴム材等の支持部材３１によって内部に位置規制されて収納され、このフロントケース３０には液晶パネルの表示領域を外部に露呈するための開口部３２を縁部３３に有しており、これらバックケース２９とフロントケース３０とは、凹凸部や鉤部あるいはカシメ等の固定手段（図示せず）によって嵌合固定されている。
【００２９】
更に、このフロントケース３０のドライバＩＣ１７と対向する部分には、ドライバＩＣ１７と対向する縁部３３の裏面から開口部３２内壁面を通って縁部３３の表面側に至る一体的に連接した静電気破壊からドライバＩＣ１７を保護するための絶縁シート３４が貼着されている。この絶縁シート３４は、図２に示すように、ドライバIC１７が配置された一縁部３３の略全面をカバーする大きさの裏面側部分３５と、フロントケース３０の開口部３２の内壁面に沿うように裏面側部分３５よりも幅狭に形成された連結部分３６と、この連結部分３６に連続して形成されフロントケース３０のドライバIC１７対向面とは裏側に相当するフロントケース３０の表面に沿って延在する表面側部分３７から構成されている。このような絶縁シート３４は、図３及び図４に示すように、これら絶縁シート３４をフロントケース３０の表裏面及び開口部３２内壁面に連続して一体的に貼着させている。このように絶縁シート３４をフロントケース３０の縁部３３に開口部３２を介してフロントケース３０を巻き込むようにして連続的に貼着させることにより、フロントケース３０縁部３３を突抜けて、あるいはフロントケース３０開口部３２の隙間から侵入してドライバＩＣ１７に到達する静電気を抑制しているものである。
【００３０】
なお、図３は、液晶パネル１１の正面側からフロントケース３０を見た場合を、図４は同じくフロントケース３０の裏側から見た場合の、夫々絶縁シート３４の配置状態を示しているもので、絶縁シート３４は判り易いように実線のクロスハッチにて示している。
【００３１】
また、図４の左側部の絶縁シート３４は、他辺側に配置されたドライバＩＣ用のもので、フロントケース３０の裏面側にのみ貼着した状態を示している。
【００３２】
このような構成の液晶表示装置につき、従来の静電気性能試験において用いた試験方法によって耐静電気性能を測定した。この測定では、面放電試験においては従来と全く同じ性能が得られ、更に気中放電については、従来の場合と同一条件にて絶縁シート３４を備えた液晶表示装置の液晶パネル１１とフロントケース３０の開口部３２との隙間方向を狙って、図３に示すように、図中○印の位置で静電ガンを用いて電圧を印加させて測定したものである。気中放電については、表３に示すような結果が得られた。
【表３】
2006235303.tif 000005
【００３３】
この表３からも判るように、従来の液晶表示装置においては±１０KVで画像がNGになったのに対して本発明に係る液晶表示装置においては、±１０KVは勿論のこと、その倍の電圧となる±２０KVの電圧を印加させた場合においても画像状態はOKの状態を保持し続けており、良好な耐静電気性能を発揮することが確認された。この耐静電気性能が飛躍的に向上したのは、絶縁シート３４をフロントケース３０の開口部３２を介してフロントケース３０の表裏両面及び開口部３２内周壁面を覆うように、即ちフロントケース３０を巻込むように貼着した結果、フロントケース３０開口部３２周縁からの静電気の侵入を阻止し、更にフロントケース３０前面からの静電気の突抜けも、絶縁シート３４が二重に貼着されたと同等の効果が生じて静電気の突抜けが緩和されることにより、ドライバIC１７が破壊されずに存在することができたものと推察される。
【００３４】
このように本発明では、簡単な構成にも関わらずに確実にドライバICの静電気破壊の恐れから開放することができ、出荷品検査での不良の発生や、市場でのドライバICの静電気破壊からのクレームにも十分に対処することができるものであって、極めて商品的に優れた液晶表示装置が得られる。また絶縁シート３４を採用すれば、加工性が容易であってあらゆる形状にも容易に対応が可能である。
【００３５】
なお、本発明は上記の実施形態に限定されることなく、絶縁体として絶縁シート３４に代えて、絶縁シート３４の貼着個所に絶縁塗料を塗布するように構成しても同等の効果を発揮させることが可能であるばかりでなく、絶縁塗料を使用した場合には、絶縁シート３４を用いた場合よりもフロントケース３０に強固に固着させることが可能となり得るので、絶縁体の剥がれや脱落にも強い絶縁体として構成することができる。
【００３６】
また、本発明の液晶表示装置は、カラー液晶表示装置だけではなくモノクロの液晶表示装置にも適用することが可能であり、更に、冷陰極管等のランプ２２に代えて発光ダイオードを使用した光源部２１にも適用可能であり、またこれら光源部２１を用いない外光を利用した反射型の液晶表示装置にも適用することができる。
【００３７】
更に、ドライバＩＣ１７としては、ソースドライバＩＣ及びゲートドライバＩＣとが存在しているが、特に静電気破壊が受けやすい何れかのドライバＩＣのみに対処させてもよいし、両者共に対応させてもよい。またフロントケース３３の表裏両面に絶縁塗料を付着させておいて、可撓性に富む片面接着剤付きの絶縁シート３４を開口部３２内壁面に両端が絶縁塗料に接するように貼着させて絶縁シート３４と絶縁塗料とを組合せて絶縁体として使用することも可能である。
【図面の簡単な説明】
【００３８】
【図１】本発明に係る液晶表示装置を示す断面図。
【図２】本発明に係る液晶表示装置を構成する絶縁シート（絶縁体）を示す平面図。
【図３】同じく絶縁シートの貼付状態を示すフロントケースを正面から見た平面図。
【図４】同じく絶縁シートの貼付状態を示すフロントケースを裏面から見た平面図。
【図５】従来の液晶表示装置を示す断面図。
【図６】従来の絶縁シートの貼付状態を示すフロントケースを正面から見た平面図。
【符号の説明】
【００３９】
１１…液晶パネル
１２…アレイ基板
１３…対向基板
１５…液晶部材
１６…ガラス基板
１７…ドライバＩＣ
１９…ガラス基板
３０…フロントケース
３２…開口部
３３…縁部
３４…絶縁シート（絶縁体）
【図１】
2006235303.tif 000006
【図２】
2006235303.tif 000007
【図３】
2006235303.tif 000008
【図４】
2006235303.tif 000009
【図５】
2006235303.tif 000010
【図６】
2006235303.tif 000011